(57)【要約】【課題】ゲージを使用しない時は、ゲージが用紙の穿孔作業の邪魔にならないパンチを提供する。【解決手段】  突き当て部４２は、ゲージがベース２に遠ざかった定位位置からベース２に近づいた収納位置側に移動された場合、境界線Ｌ１に対しての当接側に移動されると共にベース２の側面２３に近づいて対向して定位され、ゲージが収納位置から定位位置側に移動された場合、ベース２の側面２３から離れると共に境界線Ｌ１に対しての差込側に移動されて定位されるように設けられている。【選択図】図１
2018015888.tif 000002
【特許請求の範囲】
【請求項１】
用紙を綴じるための綴じ孔を開けるためのパンチであって、
前記用紙を載置するベースと、前記ベースに載置された前記用紙に綴じ孔を形成するように穿孔するパンチ手段と、前記用紙を穿孔するための穿孔位置合わせを行うゲージ手段とを備え、
前記ベースは、前記用紙を穿孔する前に前記用紙の位置を合わせるための境界線が定義され、
前記ベースと前記パンチ手段とにより前記用紙が前記境界線に向かって差し込まれて収容される収容スペースを画成するように設けられており、
前記ベースは、前記境界線に対して前記収容スペースに差し込まれた前記用紙が突き当たって留められるブロック面が、前記ベースにおける前記境界線に対しての差込側と反対側の当接側にて前記境界線と平行に延伸されると共に、前記用紙を差し込む方向である差込方向に対して垂直に立ち上がって設けられ、
前記ゲージ手段は、前記用紙の穿孔位置合わせをするために用いられるものであって、前記境界線に沿う延伸方向に沿って前記ベースの側面から離れる定位位置と、該側面に近づいて前記ベースに収容される収納位置との間で移動可能に設けられているゲージを有し、
前記ゲージは、常に前記ベースの前記側面の外に突き出されている一端部を有し、
前記ゲージの前記一端部は、常に前記ベースの前記側面の外に突き出されて前記ベースに収納されないように、前記ベースに載置された前記用紙の前記ブロック面側に差し込まれる差込辺と直角の側辺が当接される、突き当て部が前記ベースに前記用紙を載置する表側に向かって立ち上がって設けられ、
前記突き当て部は、前記ゲージが前記定位位置から前記収納位置側に移動された場合、前記境界線に対しての前記当接側に移動されると共に前記ベースの側面に近づいて対向して定位され、また、前記ゲージが前記収納位置から前記定位位置側に移動された場合、前記ベースの側面から離れると共に前記境界線に対しての前記差込側に移動されて定位されるように設けられている、
ことを特徴とするパンチ。
【請求項２】
前記ゲージは、前記境界線を含むと共に前記ブロック面に平行に延伸される垂直面に対して交点Ｐで交わるように定義された長手軸線をもって長く延伸されるように、前記ベースに貫通して設けられている、ことを特徴とする請求項１に記載のパンチ。
【請求項３】
前記ゲージは、前記用紙の異なるサイズに合わせて位置決めされる複数の前記定位位置に移動可能に設けられている、ことを特徴とする請求項２に記載のパンチ。
【請求項４】
前記ベースと前記ゲージとは、その一方に第１の係合部が、その他方に前記ゲージが複数の前記定位位置に位置決めされるように互いに所定の間隔を介して並ぶと共に前記第１の係合部と係合可能な複数の第２の係合部がそれぞれ設けている、ことを特徴とする請求項３に記載のパンチ。
【請求項５】
前記第１の係合部と前記第２の係合部とは、凹凸係合するように、一方が凹部か穴部であり、他方が凸部である、ことを特徴とする請求項４に記載のパンチ。
【請求項６】
更に前記収納位置に位置決められた前記ゲージが前記ベースから突き出されて前記定位位置に移動される第１の弾性力を付与するように前記ベースに設けられたラッチ手段を備えている、ことを特徴とする請求項２に記載のパンチ。
【請求項７】
前記ゲージは、前記長手軸線沿いの一端部に、前記ゲージが前記収納位置に移動された時前記ラッチ手段によって係止・定位されるための第１の位置決め部が設けられ、また、前記長手軸線沿いの一端部と反対側の他端部に、前記突き当て部が前記ベースに対して最大に離れるように突き出されても前記ベースから脱離することがないように前記ラッチ手段によって係止・定位されるための第２の位置決め部が設けられ、
前記ラッチ手段は、回転軸と押し部材と係止部材と第１の弾性部材とを有し、
前記回転軸はその両端が前記ベースに回転可能に軸支されるように設けられ、
前記押し部材は、一端が前記回転軸の一端に互いに回転不能に連結されている共に、他端が外部からの押圧操作をするものであって該押圧操作を経て前記回転軸が連動して回転可能に設けられ、
前記係止部材は、前記回転軸の他端に連結されて前記第１の位置決め部と前記第２の位置決め部における一方に係脱可能に設けられ、
前記第１の弾性部材は、前記収納位置に移動された前記ゲージによって圧縮されて前記第１の弾性力を蓄積するように、前記ゲージと前記ベースとの間に設けられている、ことを特徴とする請求項６に記載のパンチ。
【請求項８】
前記ラッチ手段は、前記押し部材の押圧によって圧縮されて、前記押し部材を押し上げて押圧前の姿勢に戻す第２の弾性力を蓄積するように、前記押し部材と前記ベースとの間に設けられている、第２の弾性部材を更に有する、ことを特徴とする請求項７に記載のパンチ。
【請求項９】
前記突き当て部は、前記ゲージ側から立ち上がると共に立ち上がった先端に向かって幅狭になるように突き出されている、ことを特徴とする請求項１〜８の何れかの一項に記載のパンチ。
【発明の詳細な説明】
【技術分野】
【０００１】
本発明は、用紙を綴じるための綴じ孔を開けるためのパンチに関する。
【背景技術】
【０００２】
従来から、てこの原理を応用してハンドルを上下動させてベースに載置された用紙の縁部に綴じ孔を開ける事務用パンチは周知である。用紙に綴じ孔を穿孔する際に、位置合わせのために例えば用紙の真ん中に折り目をつけると共にその折り目をパンチに付けられたセンターマークに合わせて穿孔するが、折り目が見えなかったり、また用紙が二つ折りにすることができなかったりして位置合わせの操作が面倒であった。そこで、用紙における穿孔位置の設定を容易にするために、ベースの側面に用紙の中央に穿孔位置を合わせるためのゲージが出没可能に設けられており、ゲージに用紙の規格に合わせて例えばＡ４やＢ５といった目盛りが設けられたパンチが用いられている（例えば特許文献１参照）。このパンチは、図１３に示されたように、用紙を載置する載置面１１１を有し、載置面１１１にパンチ孔（図示せず）が形成されたベース１１と、ベース１１の載置面１１１とによりベース１１に載置された用紙が差し込まれて収容される収容スペース１１０を画成しており収容スペース１１０に差し込まれた用紙に穿孔するパンチ手段１２と、用紙のセンターに対して穿孔位置を合わせるようにベース１１の側面に出没可能に設けられたゲージ１３とを備えている。パンチ手段１２は収容スペース１１０に差し込まれた用紙に対して上下動するように操作されるハンドル１２１を有し、ハンドル１２１内には用紙に穿孔するためのパンチ刃（図示せず）が取り付けられている。ゲージ１３は、ベース１１から突き出された一端が上向きに折り曲げられるように立ち上がって突き当て部１３１が設けられている。用紙をベース１１の収容スペース１１０に向けて差し込むと共に用紙の一端をゲージ１３の突き当て部１３１に当接させてから、ハンドル１２１を押し下げることにより、ハンドル１２１内に設けられたパンチ刃によって用紙に綴じ孔が形成される。
【先行技術文献】
【特許文献】
【０００３】
【特許文献１】台湾実用新案登録第Ｍ４８１１１７号
【発明の概要】
【発明が解決しようとする課題】
【０００４】
かかるパンチは穿孔する用紙の所定サイズに合せてゲージ１３に付けられたＡ４又はＢ５といった目盛りに合わせてその引き出し位置を調節して用紙に綴じ孔を形成することができるが、突き当て部１３１は収容スペース１１０に入れた用紙の一端が突き当てられるように、ベース１１における用紙を載せる載置面１１１よりも上方に突出された高さを有するようになっているため、ゲージ１３を使わない時に用紙が突き当て部１３１によって平らにベース１１に載せることができなかったり、引っ掛かったりして、用紙の穿孔作業の邪魔になる問題点がある。
【０００５】
本発明は、上記問題点に鑑みてなされたものであり、ゲージを使用しない時に、ゲージが用紙の穿孔作業の邪魔にならないパンチを提供することを目的とする。
【課題を解決するための手段】
【０００６】
上記目的を達成するために、本発明に係るパンチは、用紙を綴じるための綴じ孔を開けるためのものであって、
前記用紙を載置するベースと、前記ベースに載置された前記用紙に綴じ孔を形成するように穿孔するパンチ手段と、前記用紙を穿孔するための穿孔位置合わせを行うゲージ手段とを備え、
前記ベースは、前記用紙を穿孔する前に前記用紙の位置を合わせるための境界線が定義され、
前記ベースと前記パンチ手段とにより前記用紙が前記境界線に向かって差し込まれて収容される収容スペースを画成するように設けられており、
前記ベースは、前記境界線に対して前記収容スペースに差し込まれた前記用紙が突き当たって留められるブロック面が、前記ベースにおける前記境界線に対しての差込側と反対側の当接側にて前記境界線と平行に延伸されると共に、前記用紙を差し込む方向である差込方向に対して垂直に立ち上がって設けられ、
前記ゲージ手段は、前記用紙の穿孔位置合わせをするために用いられるものであって、前記境界線に沿う延伸方向に沿って前記ベースの側面から離れる定位位置と、該側面に近づいて前記ベースに収容される収納位置との間で移動可能に設けられているゲージを有し、
前記ゲージは、常に前記ベースの前記側面の外に突き出されている一端部を有し、
前記ゲージの前記一端部は、常に前記ベースの前記側面の外に突き出されて前記ベースに収納されないように、前記ベースに載置された前記用紙の前記ブロック面側に差し込まれる差込辺と直角の側辺が当接される、突き当て部が前記ベースに前記用紙を載置する表側に向かって立ち上がって設けられ、
前記突き当て部は、前記ゲージが前記定位位置から前記収納位置側に移動された場合、前記境界線に対しての前記当接側に移動されると共に前記ベースの側面に近づいて対向して定位され、また、前記ゲージが前記収納位置から前記定位位置側に移動された場合、前記ベースの側面から離れると共に前記境界線に対しての前記差込側に移動されて定位されるように設けられている、ことを特徴とする。
【発明の効果】
【０００７】
本発明に係るパンチによれば、ゲージがベースの側面に近づいた収納位置に定位された場合、突き当て部が境界線に対しての当接側に定位され、また、ゲージがベースから遠ざかった定位位置に移動された場合、突き当て部が境界線に対しての差込側に移動されて定位されるように構成されていることにより、ゲージを使用しない時には、ゲージがベースに収納されても用紙が突き当て部に引っ掛からずに済み、また、ゲージを使用する時には、用紙の側辺が突き当て部に当接されて位置が揃って用紙の穿孔位置合わせを行うことができるので、用紙のサイズを選ばず、また、ゲージの突き当て部が用紙の穿孔位置合わせの邪魔にならずに使用することができ、使い勝手がよい。
【図面の簡単な説明】
【０００８】
【図１】本発明の第１の実施例に係るパンチを示す斜視図である。
【図２】図１の上面図である。
【図３】図１の底面図である。
【図４】図１においてゲージが最大に引き出された時の上面図である。
【図５】図４の底面図である。
【図６】図１においてゲージが最大に引き出される前の上面図である。
【図７】図６の底面図である。
【図８】本発明の第２の実施例に係るパンチを示す上面図である。
【図９】図８の底面図である。
【図１０】図９において第２の実施例の一部を示す斜視図である。
【図１１】図８においてゲージが最大に引き出された時の上面図である。
【図１２】図１１の底面図である。
【図１３】従来のパンチの一例を示す図である。
【発明を実施するための形態】
【０００９】
以下、本発明に係るパンチにおけるいくつかの実施例について図面を参照して説明する。なお、同一構成及び機能を有する構成要素については、同一番号を付してその説明を省略する。
【００１０】
(第１の実施例)
図１は、本発明の第１の実施例に係るパンチを示す斜視図、図２は、図１の上面図、図３は、図１の底面図である。図１〜図３に示されているように、第１の実施例に係るパンチ１は、例えば２穴開け用パンチであり、用紙９を載置するベース２と、ベース２に載置された用紙９に綴じ孔を形成するように穿孔するパンチ手段３と、用紙９を穿孔するための位置合わせ例えば用紙９のセンターの位置合わせを行うゲージ手段４とを備えている。なお、用紙９は、一枚でもよく数枚重ねてもよく、パンチ手段３によって穿孔可能な硬さと厚さを有する枚葉状のものである。
【００１１】
ベース２は、例えば従来の構造を有し、例えば平面視で略長方形になっており、用紙９を載置するように実質的に一面状に形成された載置面２１を有し、載置面２１を横切るように載置面２１に載置された用紙９を穿孔する前に用紙９の位置を揃えるための境界線Ｌ１が定義されている。
【００１２】
載置面２１には、複数のパンチ穴２１０が、境界線Ｌ１に対しての用紙９がベース２に差し込まれる側である差込側に境界線Ｌ１から余白（綴じ代）としての間隔だけ離れると共に互いに境界線Ｌ１と平行の間隔をあけて、例えば用紙９を差し込む方向である差込方向と直角の方向に並ぶように設けられている。なお、パンチ１が２穴開けパンチの場合、ベース２には左右一対の例えば丸形のパンチ穴２１０が載置面２１を貫通するよう設けられている。なお、パンチ穴２１０の形状や数は必要に応じて設けられてもよく、この例に制限されない。
【００１３】
パンチ手段３は、例えば従来の構造を有し、ベース２とによりベース２に載置された用紙９が差し込まれて収容される収容スペース２０を画成するように設けられており、境界線Ｌ１から余白（綴じ代）としての所定の間隔をおいて離れるように収容スペース２０に差し込まれた用紙９に穿孔するパンチ刃（図示せず）がパンチ穴２１０に対応して境界線Ｌ１に対しての差込側に取り付けられている。パンチ手段３は、載置面２１に固定された支持フレーム３２を介して収容スペース２０に差し込まれた用紙９に対して上下動するように操作されるハンドル３１が設けられている。パンチ刃はハンドル３１内にハンドル３１の上下動に従ってパンチ穴２１０を通るように取り付けられている。
【００１４】
また、ベース２は、収容スペース２０に差し込まれた用紙９の差込辺９１が突き当たって留められるブロック面２２が、ベース２における境界線Ｌ１の差込側（図１の手前側）と反対側の当接側（図１の奥側）にて境界線Ｌ１と平行に延伸されると共に、差込方向に対して垂直に載置面２１から立ち上がって設けられている。収容スペース２０に差し込まれて収容された用紙９の差込辺９１がブロック面２２に当接することで用紙９のパンチ刃に対する差込方向における位置が決められる。
【００１５】
ゲージ手段４は、ユーザーが視認して用紙の規格に合わせて用紙のセンターの位置合わせを操作するものであり、例えば引き・押し操作により、ベース２の側面２３に対して出没可能に境界線Ｌ１に沿う延伸方向に沿って移動するように設けられたゲージ４１を有する。ゲージ４１は、例えばＡ４やＢ５といった目盛りが付けられている長尺状の定規部材であり、引き操作でベース２の側面２３から離れるように引き出されて位置決めされた定位位置と、押し操作でベース２の側面２３に近づいてベース２に収容されるように押し込まれて位置決めされた収納位置との間で移動可能に設けられている。
【００１６】
ゲージ４１は、常にベース２の側面２３の外に突き出されている一端部４１ａと、該一端部４１ａの反対側の常にベース２の裏側に引き込められて収納されている他端部４１ｂとを有する。ゲージ４１の一端部４１ａは、常にベース２の側面２３の外に突き出されてベース２に収納されないように、ベース２に用紙を載置する表側（例えば図１における上側）に向かって立ち上がった突き当て部４２が、ベース２に載置された用紙９の差込辺９１と直角の側辺９２が突き当たって当接されるように設けられている。
【００１７】
突き当て部４２は、ゲージ４１が定位位置から収容位置側に移動された場合、ベース２に収容されずにベース２の外部に残るように境界線Ｌ１のブロック面２２寄りの当接側に移動されると共にベース２の側面に近づいて対向して定位され、また、ゲージ４１が収納位置から定位位置側に移動された場合、境界線Ｌ１に対しての用紙９を差し込む差込側に移動されると共にベース２の側面２３から離れて定位されるように設けられている。
【００１８】
このように、ゲージ４１が押し操作を経てベース２に押し込まれて収容された時、突き当て部４２はベース２に収容されずにベース２の外部に残るように境界線Ｌ１のブロック面２２寄りの当接側に移動されながらベース２の側面に近づいて対向して定位される。こうなると、ゲージ４１がコンパクトに収容されることができると共に、収容スペース２０に差し込まれた用紙９が突き当て部４２に引っ掛からずに、ブロック面２２に当接されることができる。また、ゲージ４１が引き操作を経てベース２から引き出されると、突き当て部４２は、ベース２の側面２３から離れて境界線Ｌ１に対しての用紙９を差し込む差込側に移動されて定位される。こうなると、収容スペース２０に差し込まれた用紙９が突き当て部４２に引っ掛からずに、ブロック面２２に当接されることができると共に、用紙９の側辺９２が境界線Ｌ１に対しての差込側に移された突き当て部４２に当接されて用紙９が位置決めされることができる。
【００１９】
また、ゲージ４１は、境界線Ｌ１を含むと共にブロック面２２に平行且つ載置面２１に対して垂直に延伸される垂直面に対して交点Ｐで交わる長手軸線Ｌ２を定義しており、該垂直面に対して鋭角θだけ傾斜するように該長手軸線Ｌ２に沿って長尺状に延伸されている。
【００２０】
このように、ゲージ４１は垂直面に対して所定の角度、好ましくは鋭角をもって斜めに移動されるように設けられているので、押し操作でゲージ４１がベース２の側面２３に対して近づくようにベース２側に押されると、突き当て部４２は、境界線Ｌ１に対して収容スペース２０に差し込まれた用紙９がブロック面２２への当接側に移動されて定位される。従って、収容スペース２０に差し込まれた用紙９が突き当て部４２に引っ掛からずに、ブロック面２２に当接されることができる。また、引き操作でゲージ４１がベース２から遠ざかるように引き出されると、突き当て部４２は、境界線Ｌ１に対しての差込側に移動されて定位される。従って、収容スペース２０に差し込まれた用紙９の側辺９２が突き当て部４２に当接されて位置決めされることができる。
【００２１】
また、突き当て部４２は、図１に示されているように、ベース２に載置された用紙９の側辺９２が突き当たって位置決めされるためのものであって、ゲージ４１側から垂直に立ち上がって上向きに即ち立ち上がった先端側が幅狭になるように突き出されて側面視略台形状か階段形状に構成されており、ベース２に載置された用紙９よりも高い高さを有する。突き当て部４２は、略台形状か階段形状に形成されていることにより、その構造強度を保持することができる。また、突き当て部４２が略台形状か階段形状に形成されていることにより、境界線Ｌ１を含むと共にブロック面２２に平行且つ載置面２１に対して垂直に延伸される垂直面に対してのゲージ４１の取り付け角度が大きくならずに済む。また、突き当て部４２が略台形状か階段形状に形成されていることにより、ゲージ４１が完全にベース２に収容されていなくても収容スペース２０に差し込まれた用紙９が引っ掛かることがない。
【００２２】
この例では、ゲージ４１は、従来と同様に、ベース２の載置面２１と背中合わせの裏面２４に貫通して設けられている。ベース２の裏面２４側にはパンチ手段３によって打ち抜かれた紙くずを受けるための内部空間が画成されるように、ベース２の載置面２１側に対向する底壁２４ｂと、底壁２４ｂの周縁から立ち上がって突き出る周壁とを有する。内部空間に溜まった紙くずはベース２の裏面２４側から排出することができる。なお、ベース２は裏面２４側から見て平面視で略長方形になっている。
【００２３】
裏面２４側の周壁におけるベース２の側面２３に対向する側壁部２４ａには、ゲージ４１が挿入されるスリット状のゲージ挿入口２４１が設けられ、底壁２４ｂには、ゲージ挿入口２４１を介して差し込まれたゲージ４１がスライドするように案内する案内溝２４０が自身のゲージ４１の長手軸線Ｌ２と重なる軸線である延伸軸線に沿って延伸されて設けられている。つまり、案内溝２４０は、例えば図２、図３又は図５等に示されているように、ゲージ挿入口２４１に近い一端２４０ａがゲージ挿入口２４１に連通されると共に境界線Ｌ１に近づくと共に、該一端２４０ａの反対側の他端２４０ｂが境界線Ｌ１から離れるように、境界線Ｌ１に対して夾角θだけを傾斜して延伸されるように設けられている。
【００２４】
ベース２の裏の底壁２４ｂにおける案内溝２４０の溝底面には、例えば図３のように、用紙９の異なるサイズに合せてゲージ４１が位置決めされて定位される複数の第１の係合部２３ａ〜２３ｅが所定の間隔をおいて設けられている。ゲージ４１の他端部４１ｂにおけるベース２側の内面には第１の係合部２３ａ〜２３ｅに対して係合可能な第２の係合部４１１が設けられている。なお、第１の係合部２３ａ〜２３ｅと第２の係合部４１１とは例えば凹凸係合するようにその一方が凹部か孔部であり、その他方が凸部である。なお、この例では、第２の係合部４１１は凸部であり、第１の係合部２３ａ〜２３ｅは凹部か孔部である。また、第１の係合部と第２の係合部の設置位置はこの例に制限されず、第２の係合部はベース２の裏面２４側に、第１の係合部は、ゲージ４１にそれぞれ設けられてもよい。また、底壁２４ｂの案内溝２４０の両側の溝壁は、ゲージ４１が案内溝２４０から脱離せずにスライドするようにゲージ４１が係留される複数の突片２４２がつば状に突き出されて設けられている。これによってゲージ４１が安定して案内溝２４０に保持される。
【００２５】
次に、上記のように構成されたパンチ１の動作や作用を図１〜図７を参照して説明する。
【００２６】
例えばＡ４サイズの用紙９に綴じ孔を形成する時、引き操作を経て、用紙９のＡ４サイズに合せて、図２（図３）に示された、案内溝２４０に収容されたゲージ４１をＡ４―Ｅ（図６）の目盛りが出るまでスライドさせると、図７に示されたように第２の係合部４１１が第１の係合部２３ｃに対して係合される。この時、ゲージ４１がベース２の側辺２３に近づいた収納位置からベース２の側辺２３から離れた定位位置に動かされて定位されると、突き当て部４２は境界線Ｌ１に対しての差込側に定位される。用紙９の差込辺（長辺）９１がブロック面２２に当接するまで用紙９を収容スペース２０に差し込むと共に、用紙９の側辺（短辺）９２が揃うように突き当て部４２に突き当てる。こうして、用紙９のセンターの位置合わせ作業が終了する。次にパンチ手段３のハンドル３１を押し下げてパンチ刃を下ろし用紙９に綴じ孔を形成するようにパンチ手段３の穿孔作業を行う。また、この時に第２の係合部４１１と第１の係合部２３ｃとが係合されているので、用紙９の穿孔位置が変わることなく位置決めされる。
【００２７】
これによって、穿孔された用紙９と同様に次に収容スペース２０に差し込まれた用紙９に同じ位置の綴じ孔を開けるように穿孔することができる。
【００２８】
その一方、押し操作を経て、ゲージ４１が引っ込められて案内溝２４０に収容されると、突き当て部４２が境界線Ｌ１のブロック面２２寄りの当接側に移動されて定位される。このように、突き当て部４２が境界線Ｌ１のブロック面２２寄りの当接側に移動されて定位されると、スペースを取らずに済むと共に、ゲージ４１に付いている目盛りに示されていない大型サイズの用紙も引っ掛からず、穿孔作業を行うことができる。
【００２９】
以上のように、ゲージ４１が案内溝２４０からベース２の横側に引き出された場合、収容スペース２０に差し込まれて収容された用紙９のセンター位置合わせ作業を行うことができると共に、ゲージ手段４を使用しない時は用紙９の差込・穿孔作業の邪魔にならずに済み、使用勝手がよい。また、突き当て部４２は、階段状や台形になっているので、ゲージ４１を使用しない時にゲージ４１を収納する時でもゲージ４１を完全に案内溝２４０に収納する必要がなくなり、ゲージ４１の引き出された一端部４１ａの一部をそのまま外側に残してもよい。
【００３０】
本実施例に係るパンチ１は、ゲージ４１が境界線Ｌ１を含む垂直面に対して斜めに設けられているという簡単な構造によって、ゲージ４１を使用しないときには、ゲージ４１のスライドで、突き当て部４２が境界線Ｌ１に対しての当接側に位置され定位されれば、コンパクトに収納することができると共に、ゲージ４１が適用できない大きなサイズの用紙９を穿孔する時にも用紙９が突き当て部４２に引っ掛からずに済む。また、ゲージ４１を使用するときには、ゲージ４１がベース２の側面２３から離れるように引き出され、突き当て部４２が境界線Ｌ１に対しての差込側に位置され定位されれば、収容スペース２０に差し込まれた用紙９の側辺９２が突き当て部４２に当接されて位置を揃えることができる。これによって、用紙９への穿孔作業を従来通りにスムーズに行うことができる。
【００３１】
（第２の実施例）
図８は、本発明の第２の実施例に係るパンチを示す上面図、図９は図８の底面図、図１０は、図９において第２の実施例の一部を示す斜視図である。図示の如く、第２の実施例に係るパンチ１Ａは、第１の実施例の構成とほぼ同様であるが、更にラッチ手段５が設けられている。
【００３２】
ラッチ手段５は、ベース２の載置面２１と逆向きの裏側に収納位置に位置決めされたゲージ４１がベース２から突き出されて定位位置に移動される第１の弾性力を付与するようにゲージ手段４に対応して設けられ、回転軸５１と押し部材５２と係止部材５３と第１の弾性部材５４と第２の弾性部材５５とを備えている。
【００３３】
回転軸５１は、案内溝２４０を横切るように延伸された軸体を有し、該軸体の延伸された両端がベース２の裏側の案内溝２４０の両側の溝壁に回転可能に軸支されるように設けられている。
【００３４】
押し部材５２は、押圧操作をするものであって該押圧操作を経て回転軸５１が連動して回転可能に連結されるように設けられており、例えば底面視で略方形の板体になっていて、回転軸５１の例えば裏面２４の周壁側の一端に対して直角に突き出るように設けられ、回転軸５１の一端に回転軸５１と互いに回転不能になるよう回転軸５１とクロスして連結された一端部５２１と、外部からの押圧操作に供するよう該一端部５２１より続いて幅広に形成された他端部５２２とを有する。
【００３５】
係止部材５３は、ゲージ４１に係脱可能に回転軸５１の他端に回転軸５１の回転に連動するように連結されており、ゲージ４１側に向かって下向きに突き出てフック状の係止部５３１がゲージ４１と係脱可能に設けられている。
【００３６】
ゲージ４１は、その一端部にゲージ４１が収納位置に移動された時に係止部５３１が係止・定位される第１の位置決め部４１２が、また、ゲージ４１がベース２に対して最大に突き出されるよう移動されてもベース２から脱離することがないように係止部５３１が係止・定位される第２の位置決め部４１３がそれぞれ設けられている。
【００３７】
なお、第１の位置決め部４１２及び第２の位置決め部４１３のいずれかと係止部５３１とは互いに係脱可能に凹凸係合するように、第１の位置決め部４１２及び第２の位置決め部４１３は凹部（孔部）が窪んで形成され、係止部５３１は、第１の位置決め部４１２及び第２の位置決め部４１３に引っ掛かって係止されるつば状の凸部が設けられている。
【００３８】
第１の弾性部材５４は、ベース２に収納されたゲージ４１によって圧縮されて第１の弾性力が蓄積され、該第１の弾性力でゲージ４１が常にベース２から突き出されるよう付勢されるように、ゲージ４１とベース２との間に設けられている。
【００３９】
第２の弾性部材５５は、押し部材５２の押圧によって圧縮されて、押し部材５２を押し上げて押圧前の姿勢に戻す第２の弾性力を蓄積するように、押し部材５２とベース２との間に設けられている。
【００４０】
以上のように構成されたパンチの操作及び作用について図８〜１２を参照しながら説明する。
【００４１】
ゲージ４１を使用しない場合、図８〜１０に示されているように、ゲージ４１がベース２に引っ込められて収容された収納位置に移動されると、ゲージ４１のスライドによって係止部材５３は第１の位置決め部４１２に係着されて定位される。この時、第２の弾性部材５５は係止部材５３と第１の位置決め部４１２との係合状態を安定して保持するように押し部材５２の他端部５２２を押し上げていると共に、第１の弾性部材５４がゲージ４１によって押されて圧縮される（図９）。
【００４２】
ゲージ４１を使用する場合、図１１、１２に示されているように、押し部材５２を押圧し、第２の弾性部材５５が圧縮されると共に、押し部材５２の動きにより回転軸５１が連動して係止部材５３の係止部５３１と第１の位置決め部４１２との係合が解除されると、第２の弾性部材５５がその圧縮状態による第２の弾性力によってゲージ４１がベース２から突き出される。この時、ゲージ４１がスライドでベース２の側面２３側に移動されると、第２の弾性部材５５によって随時押し上げられている係止部材５３の係止部５３１が第２の位置決め部４１３に引っ掛かって係着される。このように、ゲージ４１がベース２から脱離することなくベース２に対して所定の定位位置に定位されることができる。
【００４３】
以上により、該第２の実施例に係るパンチ１Ａは、第１の実施例に係るパンチ１と同様な効果が得られると共に、ゲージ４１を使用者が自力で引き出すことなく、押し部材５２を押すだけで第１の弾性部材５４（第１の弾性力）によってゲージ４１が所定の定位位置にはじき出されることができる。また、第２の弾性部材５５（第２の弾性力）で係止部材５３が第１の位置決め部４１２に係止されることによって、ゲージ４１のベース２内の収納状態を安定して保持することができ、また、第２の位置決め部４１３に係止されることによってゲージ４１がベース２から容易に脱離してしまうことがなくなる。
【００４４】
以上のように、本発明に係るパンチ１又は１Ａによれば、ゲージ４１がベース２の側面２３に対して近づくと、突き当て部４２が境界線Ｌ１に対しての当接側に移動されて定位され、また、ゲージ４１がベース２から遠ざかると、突き当て部４２が境界線Ｌ１に対しての差込側に移動されて定位されることにより、ゲージ４１を使用しない時には、用紙９が突き当て部４２に引っ掛からずに済み、また、ゲージ４１を使用する時には、用紙９の側辺９２が突き当て部４２に当接されて用紙９の穿孔位置合わせを行うことができるので、使用勝手がよい。
【００４５】
以上、本発明の好ましい実施形態を説明したが、本発明はこれに限定されるものではなく、その要旨を逸脱しない範囲で種々変更可能であることはいうまでもない。
【産業上の利用可能性】
【００４６】
本発明に係るパンチは、用紙を綴じるための綴じ孔を開けるための文具として有用である。
【符号の説明】
【００４７】
１、１Ａ    パンチ
２    ベース
２０    収容スペース
２１    載置面
２１０    パンチ穴
２２    ブロック面
２３    側面
２３ａ〜２３ｅ    第１の係合部
２４    裏面
２４０    案内溝
２４０ａ    一端
２４０ｂ    他端
２４１    ゲージ挿入口
２４２    突片
２４ａ    側壁部
２４ｂ    底壁
３    パンチ手段
３１    ハンドル
３２    支持フレーム
４    ゲージ手段
４１    ゲージ
４１１    第２の係合部
４１２    第１の位置決め部
４１３    第２の位置決め部
４１ａ    一端部
４１ｂ    他端部
４２    突き当て部
５    ラッチ手段
５１    回転軸
５２    押し部材
５２１    一端部
５２２    他端部
５３    係止部材
５３１    係止部
５４    第１の弾性部材
５５    第２の弾性部材
９    用紙
９１    差込辺
９２    側辺
Ｌ１    境界線
Ｌ２    長手軸線
Ｐ    交点
θ    角
【図１】
2018015888.tif 000003
【図２】
2018015888.tif 000004
【図３】
2018015888.tif 000005
【図４】
2018015888.tif 000006
【図５】
2018015888.tif 000007
【図６】
2018015888.tif 000008
【図７】
2018015888.tif 000009
【図８】
2018015888.tif 000010
【図９】
2018015888.tif 000011
【図１０】
2018015888.tif 000012
【図１１】
2018015888.tif 000013
【図１２】
2018015888.tif 000014
【図１３】
2018015888.tif 000015